(57)【要約】      （修正有）【課題】散らばった消しゴムの糟を手で掃いのけるよりもっと簡単に、より清潔に、手間をかけず解消できる器具を提供する。【解決手段】形状は片手で操作することが容易に出来るようにする為、平べったく又、曲線を多くした。大きさもマウスと同程度であり、自由に操作しやすい。方式としてビニール等の素材の刷毛を器具の中心に取り付け、器具を前後左右（全方位）に動かせば、消し糟をはじき飛ばすことが出来、開いている扉からゴミ室へ消し糟が入り、収納することが出来る。レバー３を回転させることにより、歯車６に連動し、歯車７により扉を開閉させる。同時に１３番にも連動し、１４番の蓋を押すことによりバネを押さえ、刷毛９を下げることが出来る。又バネ１５により刷毛９を押し上げることも出来る。【選択図】図２
0003115731.tif 000002
【実用新案登録請求の範囲】
【請求項１】
図のとおり、消しゴムの糟取り器としてこのような形状（平べったく、角をとらず、パソコン使用時に使うマウスに似た形状）のものは従来のものには見当らない。小さく片手で操作しやすく、机の上に置いていて倒れないし、邪魔になりにくい。刷毛等中身のまったく別のものと組み合わせることにより使用目的が異なり、新規性があると思われる。
【請求項２】
消しゴム糟を取る方法として器具を前後左右（全方位）に動かすことにより、本体中央部に取付けてある刷毛が（底面より長く伸びた状態）消し糟をはじき飛ばし、開いておいた７番扉からゴミ箱へと消し糟が入り、ゴミ室に収納することが出来る構造である。
【請求項３】
円いレバー３番を手前に回転させることにより６番を回転させる。６番が回転することで（歯車による）７番へ連動し、７番の扉を開くことが出来る。
又同時に、３番レバーを手前に回転させることにより、１３番が回転し、１３番の長い部分が下方にきた時に１４番を押さえることが出来る。これにより１４番が押さえられて下がり、９番も下方へ下がる。又、１３番に短い部分が下方にきた時には、１５番のバネにより１４番の蓋を上方へと押し上げ、９番の刷毛を器具本体の内部へ収納する事が出来る。
つまり、７番が開くと同時に９番が下がり、７番が閉じると同時に９番が上がる。
尚、１４番と９番（刷毛）はネジ式とし、取り外し及び交換が可能な構造である。
【考案の詳細な説明】
【技術分野】
【０００１】
本案は、消しゴム糟を容易に回収、収納する器具に関するものである。
【背景技術】
【０００２】
消しゴムで鉛筆の文字を消すと消しゴムの糟は机の上に散乱し、通常、手で掃い、ゴミ箱にいれるという動作を消す度ごとに繰り返していると思われる。それを手間がかかると思う人も多数おられると思われ、下記特許文献１〜４他多数の特許及び実用新案により解決しようとしておられます。そこで下記とは形状、構造の違う新しい方法により手軽さと面白さを考慮した結果、このような器具が考案された。
※関連すると考えられる先行技術（ＰＡＴＯＬＩＳ検索）H17.5.2時点
【特許文献１】実開  昭５５−４７３１５
【特許文献２】実開  平０４−９０５９８
【特許文献３】実開  平０５−３９９９５
【特許文献４】登録実用    ３０１９９４７
【考案の開示】
【考案が解決しようとする課題】
【０００３】
器具を使って、散らばった消しゴムの糟を手で掃いのけるよりもっと簡単に、より清潔に、手間かけず解消できる方法として…
【０００４】
従来のものは形状が凸凹であったり、大きすぎたり小さすぎたり、複雑であったりしており、使い勝手がいいとは言えない。
【０００５】
構造的には刷毛で掃くというものはあったが、器具を前後に動かすことにより歯車を回転させ掃くというものとか、ローラーに接着剤を付けて消し糟を付着させて取るというものがあったが、前記のものは前後の移動のみであり、操作しづらい。後記のものは接着剤を度々交換しなくてはならず手間である。
【０００６】
従来のもので、掃いた消し糟をゴミ室へ移す方法で扉を開閉するという方法として類似のものは見当らない。
【０００７】
刷毛を使用時には本体の外へ出し、使用しない時は本体の内側に収納すると言ったものも見当らない。
【課題を解決するための手段】
【０００８】
上記を解決する方法として平べったく、角を造らず、曲線を多くした。大きさもマウスと同じくらいとし、片手での操作をしやすくした。
【０００９】
上記を解決する方法として器具本体のほぼ中心にビニール等の素材の刷毛を取付け、器具を前後左右（全方位）に動かすことにより、あらかじめ開いておいた扉へ消し糟をはじき飛ばし、ゴミ室へ糟を入れて収納することが出来る。
【００１０】
上記を解決する方法として３番のレバーを回転させることにより連動している６番を回転させ、歯車により７番の開閉扉を開ける
【００１１】
上記を解決する方法として３番のレバーを回転させることにより、連動している１３番を回転させ、１４番を押さえて下方へ押し下げることにより、９番が上下動することが出来る。
【考案の効果】
【００１２】
小ぶりなので、机の上に常時置いていても邪魔にならず、比較的手軽に操作でき、ゴミ箱に度々消し糟を捨てる手間が省け、机の上をすっきりしておくことが出来る。
【考案を実施するための最良の形態】
【００１３】
机の上を整理、整頓しておく。通常机など水平なところで使用する。
【実施例１】
【００１４】
図２は側面図であり、３⇒６⇒７へと連動、回転させ７番の扉を開閉させる。
【実施例２】
【００１５】
図４は７番の詳細図であり、閉じた時に消し糟がゴミ室の上部に飛び出さない為の形状となっている。
【実施例３】
【００１６】
図５は刷毛の取付け部の詳細図であり、３⇒１３⇒１４⇒９へと９番の刷毛を上下させ収納することが出来る。
【産業上の利用可能性】
【００１７】
消しゴムを使用する全国、全世界の小学生、中学生、高校生など多数の人が使用する可能性がある。
【００１８】
実用性のみならず、器具を前後左右に振り回すことにより、ストレス解消の道具としての効果が期待できる。
【図面の簡単な説明】
【００１９】
【図１】平面図
【図２】側面図
【図３】背面図
【図４】7番詳細図
【図５】刷毛取付け部の詳細図
【符号の説明】
【００２０】
１    本体（上部）である                      （プラスティック）
２    本体（下部）である                      （プラスティック）
３    指で回し６番と１３番を回転させるレバー  （ゴム）
４    輪ゴム。３番と13番を連動させる        （輪ゴム）
５    輪ゴム。３番と６番を連動させる          （輪ゴム）
６    歯車が付いており、７番を回転させる      （プラスティック）
７    開閉扉（図4詳細）                      （プラスティック）
８    机上を滑りやすくする為の板              （プラスティック）
９    刷毛。消し糟を掃いて飛ばす            （ビニール又は硬めの豚毛）
１０    ８番と同じ                              （プラスティック）
１１    糟の取り出し蓋                          （プラスティック）
１２    ２番と一体であり、刷毛を支える          （プラスティック）
１３    回転させて１４番を押さえる              （プラスティック）
１４    １３番により押し下げられる蓋            （プラスティック）
１５    コイル状のバネで１４番を押し戻す        （鋼）
１６    糟（参考）１  
【図１】
0003115731.tif 000003
【図２】
0003115731.tif 000004
【図３】
0003115731.tif 000005
【図４】
0003115731.tif 000006
【図５】
0003115731.tif 000007
【手続補正書】
【提出日】平成17年8月12日(2005.8.12)
【手続補正１】
【補正対象書類名】実用新案登録請求の範囲
【補正対象項目名】全文
【補正方法】変更
【補正の内容】
【実用新案登録請求の範囲】
【請求項１】
パソコン使用時に使われているマウスと類似した形状（図面参照）を有する消しゴム糟取り器である。
【請求項２】
部品の役割及び構成において、
（１）器具の中央下部に部品番号９番（刷毛）を取付けたもので、
（２）消しゴム糟をゴミ箱へ入れ、また飛び出さない為、部品番号３番、６番及び７番の扉があり、
（３）部品番号９番を上下させる為、部品番号３番、４番、１３番、１４番、１５番等を組み合わせた構造からなり、器具本体（部品番号１番、２番）を素早く動かすことが要求される為、上記請求項１記載の形状を必要とする構造からなる消しゴム糟取り器である。